(57)【要約】【課題】凸状の画線により可視画像と潜像模様を形成した偽造防止印刷物であって、潜像模様の視認性を向上させるために、潜像模様を視認する際には可視画像が消失する印刷物を提供する。【解決手段】第１の方向に沿って所定のピッチで規則的に配置し、かつ、少なくとも二段階以上の高低差を有する凸状の画線で不可視画像の潜像部と背景部が形成され、第１の画線の非画線部に相当する領域に配置された第２の画線によって可視画像が形成され、第２の画線の高さを第１の画線における最も低い画線高さより低い画線高さによって形成することで、潜像模様を視認する際に、可視画像が消失する印刷物である。【選択図】図２
2011042049.tif 000002
【特許請求の範囲】
【請求項１】
基材に、第１の方向に沿って所定のピッチで規則的に複数配置された第１の画線と、前記複数配置された第１の画線の間に第２の画線が配置された偽造防止印刷物であって、
前記第１の画線は、少なくとも二種類の高さを有し、
前記第２の画線は、前記第１の画線の最小画線高さｈ１より低い画線高さｈ２を有し、
前記第１の画線によって第１の画像が形成され、
前記第２の画線によって第２の画像が形成され、
前記第１の画線における最小画線高さｈ１の境界部から、前記第２の画線における画線高さｈ２の境界部を結ぶ距離ｄ２と、
前記第２の画線における画線高さｈ２の境界部から、向かって後方の前記第１の画線における印刷面との境界部の印刷面上の距離ｄ１において、
前記基材を９０°の角度から視認した場合に、前記第１の画像のみが視認され、
前記基材を{tan-1(h1/d2)}/(π/180)≧θ3≧{tan-1(h1/d2)-tan-1{h1/(d1+d2)}}/(π/180)の角度域から視認した場合に、前記第２の画像のみが視認され、
前記基材を90°≧θ4＞{tan-1(h1/d2)}/(π/180)の角度から視認した場合に、前記第１の画像と前記第２の画像の両方が視認されることを特徴とする偽造防止印刷物。
【請求項２】
前記第１の画線は、前記少なくとも二種類の高さの間で、高さが段階的に変化する画線によって形成されたことを特徴とする請求項１記載の偽造防止印刷物。
【請求項３】
前記第１の画線は、前記少なくとも二種類の高さの間で、高さが連続的に変化する画線によって形成されたことを特徴とする請求項１記載の偽造防止印刷物。
【請求項４】
前記基材を90°≧θ4＞{tan-1(h1/d2)}/(π/180)の角度から視認した場合に、前記第１の画像と前記第２の画像によって合成された第３の画像が形成されたことを特徴とする請求項１乃至３のいずれか１項記載の偽造防止印刷物。
【請求項５】
前記第２の画線は、分断された画線によって画線面積率が１００％から０％の範囲で段階的又は連続的に変化させることで、前記第１の画像が連続階調を有する画像として形成されたことを特徴とする請求項１乃至４のいずれか１項記載の偽造防止印刷物。
【請求項６】
前記第２の画線は、所定の画線幅によって形成され、前記所定の画線幅を１００％とした場合に、前記第２の画線を１００％から０％の範囲で段階的又は連続的に変化させることで、前記第1の画像が連続階調を有する画像として形成されたことを特徴とする請求項１乃至４のいずれか１項記載の偽造防止印刷物。
【請求項７】
前記第２の画線における所定の画線幅は、近接する前記第１のとの間の少なくとも１方に非画線部が形成されたことを特徴とする請求項１乃至６のいずれか１項記載の偽造防止印刷物。
【発明の詳細な説明】
【技術分野】
【０００１】
本発明は、銀行券、株券、債券等の有価証券、各種証明書及び重要書類等の偽造防止又は複製防止が必要とされる偽造防止印刷物に関するものである。
【背景技術】
【０００２】
銀行券、株券、債券等の有価証券、各種証明書及び重要書類等において、真正物か偽造物であるかを真偽判別するための技術として、古くから潜像凹版と呼ばれる偽造防止技術がある。この潜像凹版は、凹版インキ等で盛り上がって印刷された画線を用いることで効果を奏するものである。例えば、図１１の印刷物１１に示されたように、印刷模様１２の背景を成す画線群１３と、潜像模様１５を成す画線群１４は、９０度の２方向の差異を持った万線状の画線によって配置している。この印刷物１１の印刷面を真正面から見た観察した場合、施されている潜像模様１５の「Ｐ」文字を容易に認識することができないが、図１２に示されたように、斜めから観察すると、例えば、凹版インキのような盛り上がった画線では、画線群１３で隣り合う画線との視角によって重なり合うため、実際の潜像部を成す画線１４よりも低明度（高濃度）となる。これにより、潜像模様１５の「Ｐ」文字が顕像となって出現する。この技術の特徴は、別途判別具を用意せずとも簡単に真偽判別することができることである。
【０００３】
また、２方向の万線状の画線でなくとも、凹版インキの盛り上がりの高さにおける差異によって、１方向の万線で実現することもできる（例えば、特許文献１参照）。
【０００４】
さらに、特開平５−３３９９００号公報では、各種万線模様又はレリーフ模様、及びそれら双方の模様のいずれかの凹凸形状を有する素材と、素材の色及び無色透明以外の異なった他の色による一定な間隔を持つ各種万線画線又は網点画線、及びそれら双方のいずれかを組み合わせることによって、ある特定の方向から観察するときにのみ、特定の文字、図柄等を認識することができるようにした潜像模様形成体とその作製方法が開示されている（例えば、特許文献２参照）。
【０００５】
また、特公昭５６−１９２７３号公報では、印刷物を傾けて観察して画像を現出するような方法として、印刷基材上に縦横の画線で構成される画像を凹版印刷することで印刷面を真上から観察した場合には、確認することができない潜像が角度を変えて観察すると顕像化される方法が開示されている（例えば、特許文献３参照。）
【先行技術文献】
【特許文献】
【０００６】
【特許文献１】実公平２−４３７４７号
【特許文献２】特開平５−３３９９００号
【特許文献３】特公昭５６−１９２７３号
【発明の概要】
【発明が解決しようとする課題】
【０００７】
上述した従来の印刷物では、この技術の特徴は別途判別具を用意せずとも簡単に真偽判別を可能とする、優れた技術である。しかし、図１１に示された従来の潜像凹版の例のように、そのままでは施されている潜像模様１５が認識されてしまうことがある。そこで、図１３に示されたように、潜像模様１５をより認識できないように、印刷模様１２の背景を成す画線群１３と潜像を成す画線群１４のそれぞれにまたがるカモフラージュ模様１６を設ける技術がある。このカモフラージュ模様１６は、印刷模様１２中の画線群１３と画線群１４の画線幅を部分的に変えていることにより、印刷物１１を真正面からの観察した際に模様として認識することができるものである。
【０００８】
しかし、この技術は、図１４に示されたように斜めからの観察においても、潜像模様１５が顕像となっている状態でもカモフラージュ模様１６もそのまま見えてしまい、顕像となった潜像模様１５の視認性を妨げるという問題があった。
【課題を解決するための手段】
【０００９】
本発明の偽造防止印刷物は、基材に、第１の方向に沿って所定のピッチで規則的に複数配置された第１の画線と、複数配置された第１の画線の間に第２の画線が配置された偽造防止印刷物であって、第１の画線は、少なくとも二種類の高さを有し、第２の画線は、第１の画線の最小画線高さｈ１より低い画線高さｈ２を有し、第１の画線によって第１の画像が形成され、第２の画線によって第２の画像が形成され、第１の画線における最小画線高さｈ１の境界部から、第２の画線における画線高さｈ２の境界部を結ぶ距離ｄ２と、第２の画線における画線高さｈ２の境界部から、向かって後方の第１の画線における印刷面との境界部の印刷面上の距離ｄ１において、基材を９０°の角度から視認した場合に、第１の画像のみが視認され、基材を{tan-1(h1/d2)}/(π/180)≧θ3≧{tan-1(h1/d2)-tan-1{h1/(d1+d2)}}/(π/180)の角度域から視認した場合に、前記第２の画像のみが視認され、基材を90°≧θ4＞{tan-1(h1/d2)}/(π/180)の角度から視認した場合に、第１の画像と前記第２の画像の両方が視認されることを特徴とする偽造防止印刷物である。
【００１０】
また、本発明の偽造防止印刷物における第１の画線は、少なくとも二種類の高さの間で、高さが段階的に変化する画線によって形成されたことを特徴とする偽造防止印刷物である。
【００１１】
また、本発明の偽造防止印刷物における第１の画線は、少なくとも二種類の高さの間で、高さが連続的に変化する画線によって形成されたことを特徴とする偽造防止印刷物である。
【００１２】
また、本発明の偽造防止印刷物は、基材を90°≧θ4＞{tan-1(h1/d2)}/(π/180)の角度から視認した場合に、第１の画像と第２の画像によって合成された第３の画像が形成されたことを特徴とする偽造防止印刷物である。
【００１３】
また、本発明の偽造防止印刷物における第２の画線は、分断された画線によって画線面積率が１００％から０％の範囲で段階的又は連続的に変化させることで、第１の画像が連続階調を有する画像として形成されたことを特徴とする偽造防止印刷物である。
【００１４】
また、本発明の偽造防止印刷物における第２の画線は、所定の画線幅によって形成され、所定の画線幅を１００％とした場合に、第２の画線を１００％から０％の範囲で段階的又は連続的に変化させることで、第1の画像が連続階調を有する画像として形成されたことを特徴とする偽造防止印刷物である。
【００１５】
また、第２の画線における所定の画線幅は、近接する第１の画線との間の少なくとも一方に非画線部が形成されたことを特徴とする偽造防止印刷物である。
【発明の効果】
【００１６】
本発明における印刷物上の画線構成により、カモフラージュ模様が潜像模様の視認性をまったく妨げることなく、印刷物を真正面から見ていた観察者からは、印刷物を斜めから見ることによって、それまで見えていた模様がまったく別の模様に入れ替わったように見えるという新たな効果を、印刷物画線で実現することを可能にしている。
【図面の簡単な説明】
【００１７】
【図１】本発明の立体的な構成を示す説明図。
【図２】図１に示された印刷物１の断面図。
【図３】本発明の印刷物１の平面図とその斜視図。
【図４】任意の模様を施した印刷物１の解説図。
【図５】図４に示された印刷物１を真正面から目視で見た状態を示した説明図。
【図６】図５に示された印刷物１を図２で示された角度θ３の角度域から成る視角をもって観察した際の斜視図。
【図７】本発明の立体的な構成を示す説明図。
【図８】図７に示された印刷物１の断面図。
【図９】本発明の印刷物１の平面図とその斜視図。
【図１０】本発明の印刷物１の平面図とその斜視図。
【図１１】凹版インキ等で盛り上がって印刷された従来の画線の構成を示す説明図。
【図１２】図１１に示された印刷物１１の斜視図。
【図１３】カモフラージュ模様１６を設けた従来の画線の構成を示す説明図。
【図１４】図１３に示された印刷物１１の斜視図。
【図１５】主画線３の低画線の低画線部ａ１と高画線部ａ２の高低差が連続性を有する例を示す説明図。
【図１６】図１５（a）に示された印刷物１を真正面から目視で見た状態を示した説明図。
【図１７】図１５（ｂ）に示された印刷物１を図２で示された角度θ３の角度域から成る視角をもって観察した際の斜視図。
【発明を実施するための形態】
【００１８】
以下、本発明の偽造防止印刷物について、本発明を実施するための形態として、図面を用いて説明する。しかしながら、本発明は以下に述べる実施するための形態に限定されるものではなく、特許請求の範囲に記載されている技術の範疇であれば、その他いろいろな実施の形態が含まれる。
【００１９】
図１は、本発明の特徴である画線の立体的な構成が示された説明図である。印刷物１上の印刷模様２は、印刷面からの盛り上がりの高さの異なる低画線部ａ１と高画線部ａ２によって長手方向に平行して構成された主画線３と、主画線３の低画線部ａ１よりも低い盛り上がりの副画線４で構成されている。また、主画線３の長手方向と垂直方向に沿って所定のピッチで規則的に配置され、さらに、主画線３と副画線４とが交互に配置されている。すなわち、主画線３の非画線部に相当する領域に配置された副画線４の画線幅ｗ２は、主画線３の画線幅ｗ１よりも短くなっている。これにより、連なる主画線３の間に配置される副画線４において、垂直方向の両側に非画線部を確保している状態となっている。本発明の特徴を図１の断面Ａ及び断面Ｂの部分においてより詳細に説明する。
【００２０】
図２（a）は図１の断面Ａを示した断面図である。図２（a）に示された印刷物１を、真正面の観察位置[１]から観察した視線ｅ１からは、図３（a）の平面図で示されたように、主画線３の画線幅ｗ１は同じ長さとなって観察されている。よって、視線ｅ１からの観察では、主画線３で構成される模様には何ら変化はなく、副画線４で構成される模様のみが観察される。
【００２１】
また、図２（a）で示された印刷物１を斜めの観察位置[２]から観察すると、観察位置[２]から見て前方の低画線部ａ１から成る主画線３の視認幅ｅ２と、観察位置[２]から見て後方の高画線部ａ２から成る主画線３の視認幅ｅ３とで見かけ上の幅の違いが現れる。これは、低画線部ａ１における視線との境界部ｍ１と印刷面との境界部ｐ１までの盛り高さｈ１と、高画線部ａ２における視線との境界部ｍ２と印刷面との境界部ｐ２までの盛り高さｈ３との違いによって、見かけの違いが生ずるものである。すなわち、図３（ｂ）の斜視図に示されたように、低画線部ａ１に示された境界にて生ずる視認幅ｅ２より高画線部ａ２にて生ずる視認幅ｅ３のほうが長く見えている。
【００２２】
さらに、図２（a）に示されたように、副画線４における視線との境界部ｍ３までの印刷面からの盛り高さｈ２は、主画線３に示された盛り高さｈ１よりも低くなっている。これにより、観察位置[２]において、境界部ｍ１と境界部ｍ３を結ぶ距離ｄ２を用いて得られた所定の角度θ１以下での観察では、副画線４の見える位置が視認幅ｅ２の範囲に含まれ、図３（ｂ）に示されたように、主画線３が副画線４を遮蔽するような位置関係となる。
【００２３】
またさらに、図２（a）に示されたように、観察位置[２]から見て前方の主画線３の低画線部ａ１に示された境界部ｍ１と副画線４に示された境界部ｍ３とを視線で結ぶとき、少なくとも主画線３と副画線４が存在しない空白の領域、すなわち図３（ｂ）で示された印刷物１上の非画線部を観察することができる視認幅ｅ４を認識することができる。
【００２４】
そしてさらに、図２（a）に示されたように、観察位置[２]から見て前方の主画線３の低画線部ａ１に示された境界部ｍ１と、観察位置[２]から見て後方の主画線３における印刷面との境界部ｐ２とを視線で結ぶとき、印刷物１上の非画線部が視認できない。すなわち、副画線４に示された境界部ｍ３と、後方主画線３に示された印刷面との境界部ｐ２における印刷面上の距離ｄ１を用いて得られた所定の角度θ２以下では、印刷物１上の非画線部が視認できない。
【００２５】
一方、図２（ｂ）は図１の断面Ｂを示した断面図である。図２（ｂ）で示された印刷物１を斜めの観察位置[２]から観察すると、観察位置[２]から見て前方の高画線部ａ２から成る主画線３の視認幅ｅ３と、観察位置[２]から見て後方の低画線部ａ１から成る主画線３の視認幅ｅ２とで見かけ上の幅の違いが現れる。しかし、高画線部ａ２における視線との境界部ｍ２と印刷面との境界部ｐ２までの盛り高さｈ３と、低画線部ａ１における視線との境界部ｍ１と印刷面との境界部ｐ１までの盛り高さｈ１との違いによって、斜めの観察位置[２]からでは印刷物１上の非画線部を視認することができない。
【００２６】
すなわち、図３（ｂ）の斜視図に示されたように、後方の主画線３が前方の主画線３によって、その一部が重なって見える。図３（a）の平面図のように、印刷物１を観察位置[１]つまり真正面から観察した場合、低画線部ａ１と高画線部ａ２との盛り上がりの高さの違いは認識されないが、観察位置[２]から観察した場合、図３（ｂ）の斜視図のように、低画線部ａ１と高画線部ａ２との盛り上がりの高さの違いを認識することができる。
【００２７】
また、観察位置[２]から見て、低画線部ａ１と高画線部ａ２との盛り上がりの高さの違いを最も明瞭に認識することができる条件としては、印刷物１上の非画線部を視認することができる角度、すなわち、副画線４が低画線部ａ１から成る主画線３によって遮蔽される角度θ１から、印刷物１上の非画線部を視認することができない角度θ２を差し引いた角度θ３の角度域であることが望ましい。
【００２８】
なお、上述したように、主画線３の非画線部に相当する領域に配置された副画線４の画線幅ｗ２は、主画線３の画線幅ｗ１よりも短くなっている。これにより、連なる主画線３の間に配置される副画線４において、垂直方向の両側に非画線部を確保している状態となっていることから、図２（a）の斜めの観察位置[３]から観察した場合は、図２（ｂ）の斜めの観察位置[２]から観察したときと同条件となり、図２（ｂ）の斜めの観察位置[３]から観察した場合は、図２（a）の斜めの観察位置[２]から観察したときと同条件となる。
【００２９】
図４は、任意の模様を施した印刷物１の解説図であり、印刷物１上に印刷模様２が形成されている。この印刷模様２の具体的な構成は、等間隔で配置された複数の主画線３と副画線４から成り、主画線３は図１の斜視図で示されたように、印刷物１における印刷面からの盛り上がりの高さの異なる低画線部ａ１と高画線部ａ２から成る。これにより、印刷物１を真正面から観察した場合、低画線部ａ１と高画線部ａ２との盛り上がりの高さは認識されない。
【００３０】
すなわち、背景模様を構成する低画線部ａ１に対し、高画線部ａ２で構成する領域を不可視画像５として施すことができる。例えば、図４に示されるような「Ｐ」のアルファベットの文字を成した不可視画像５として配置されている（本発明を実施するための最良の形態では、位置をわかりやすくするため、境界を点線で表現しているが、点線自体は印刷されるものではない）。
【００３１】
さらに、複数の主画線３と交互に副画線４が配置されている。副画線４を有する領域は、印刷物１を真正面から見て観察することができる可視画像６として施すことができる。例えば、図４に示されるような幾何学模様を成した可視画像６として配置されている（本発明を実施するための最良の形態では、位置をわかりやすくするため、境界を点線で表現しているが、点線自体は印刷されるものではない）。
【００３２】
図５は、図４に示された印刷物１を真正面から目視で見た状態を示したものである。このとき、観察者には、図４で示された不可視画像５を認識することができないが、図４で示された可視画像６は認識することができている。図５に示された印刷物１を、図２で示された角度θ３の角度域から成る視角をもって観察した際、図６に示されたように低画線部ａ１と高画線部ａ２の高さによって、主画線３の見え方の違いが現れる。
【００３３】
すなわち、印刷模様２において、図３（ｂ）の斜視図で示されたのと同様に、低画線部ａ１の視認幅ｅ２よりも高画線部ａ２の視認幅ｅ３の方が長く見えることから、低画線部ａ１より高画線部ａ２の方が高濃度で観察される。これにより、図６に示された印刷模様２中の主画線３において、高画線部ａ２で構成された領域から成る不可視画像５が、斜めから観察することにより該領域が可視画像となって出現している。
【００３４】
一方、図６に示された副画線４は、図３（ｂ）の斜視図で示されたのと同様に、副画線４の見える位置が視認幅ｅ２の範囲に含まれ、主画線３が副画線４を遮蔽するような位置関係となる。これにより、副画線４で構成された可視画像６が不可視画像となって消失する。すなわち、印刷物１を所定の角度から視認した場合に、可視画像６を形成する副画線４は、主画線３との高低差によって死角となることで視認されなくなる。したがって、印刷物１を真正面から見ていた観察者からは、印刷物１を斜めから見ることによって、それまで見えていた模様がまったく別の模様に入れ替わったように見える。
【００３５】
さらに、図５に示された印刷物１をカラー複写機で複写すると、主画線３における低画線部ａ１と高画線部ａ２の盛り高さの違いはなく、斜めから見た際の不可視画像５が可視画像として出現したり、可視画像６が不可視画像となって消失したりすることはなく、これが複写されたものであることが一目瞭然となる。
【００３６】
また、主画線３と副画線４の位置関係は、上記の配置に限るものではない。例えば、図７に示されたように、主画線３と副画線４が隣接していても良い。この場合も図１に示された画線構成と同じく、主画線３の低画線部ａ１よりも低い盛り上がりの副画線４で構成されている。また、主画線３の長手方向と垂直方向に沿って所定のピッチで規則的に配置されているが、図７に示された画線構成では、主画線３に副画線４が隣接しながら交互に配置されている。また、主画線３の非画線部に相当する領域に配置された副画線４の画線幅ｗ２は、主画線３の画線幅ｗ１よりも短くなっている。これにより、連なる主画線３の間に配置される副画線４において、垂直方向の片側に非画線部を確保している状態となっている。本発明の特徴を図７の断面Ａ及び断面Ｂの部分においてより詳細に説明する。
【００３７】
図８（a）は、図７の断面Ａを示した断面図である。図８（a）に示された印刷物１を真正面の観察位置[１]から観察した視線ｅ１からは、図９（a）の平面図で示されたように、主画線３の画線幅ｗ１は同じ長さとなって観察されている。よって、視線ｅ１からの観察では、主画線３で構成される模様には何ら変化はなく、副画線４で構成される模様のみが観察される。
【００３８】
また、図８（a）で示された印刷物１を斜めの観察位置[２]から観察すると、観察位置[２]から見て前方の低画線部ａ１から成る主画線３の視認幅ｅ２と、観察位置[２]から見て後方の高画線部ａ２から成る主画線３の視認幅ｅ３とで見かけ上の幅の違いが現れる。これは、図２（a）に示された状態と同様につき、説明を省略する。すなわち、図９（ｂ）の斜視図に示されたように、低画線部ａ１に示された境界にて生ずる視認幅ｅ２より高画線部ａ２にて生ずる視認幅ｅ３の方が長く見え、かつ、所定の角度θ１以下での観察では、副画線４の見える位置が視認幅ｅ２の範囲に含まれ、図９（ｂ）に示されたように、主画線３が副画線４を遮蔽するような位置関係となる。
【００３９】
また、図８（a）に示されたように、観察位置[２]から見て前方の主画線３の低画線部ａ１に示された境界部ｍ１と副画線４に示された境界部ｍ３とを視線で結ぶとき、少なくとも主画線３と副画線４が存在しない空白の領域、すなわち、図９（ｂ）で示された印刷物１上の非画線部を観察することができる視認幅ｅ４を認識することができる。
【００４０】
さらに、図２（a）に示された状態と同様に、図８（a）においても副画線４に示された境界部ｍ３と、後方主画線３に示された印刷面との境界部ｐ２における印刷面上の距離ｄ１を用いて得られた所定の角度θ２以下では、印刷物１上の非画線部を視認することができない。この場合、連なる主画線３の間に配置される副画線４において、垂直方向の片側に非画線部を充分確保しているため、図２（a）に示された状態と比較して図８（a）に示された状態では、観察角度[２]の角度が高くなるという特徴がある。
【００４１】
一方、図８（ｂ）は図１の断面Ｂを示した断面図である。図８（ｂ）で示された印刷物１を斜めの観察位置[２]から観察すると、図９（ｂ）の斜視図に示されたように、後方の主画線３が前方の主画線３によって、その一部が重なって見える。すなわち、図９（a）の平面図のように、印刷物１を観察位置[１]つまり真正面から観察した場合、低画線部ａ１と高画線部ａ２との盛り上がりの高さの違いは認識されないが、観察位置[２]から観察した場合、図９（ｂ）の斜視図のように、低画線部ａ１と高画線部ａ２との盛り上がりの高さの違いを認識することができる。
【００４２】
また、観察位置[２]から見て、低画線部ａ１と高画線部ａ２との盛り上がりの高さの違いを最も明瞭に認識することができる条件としては、印刷物１上の非画線部を視認することができる角度、すなわち、副画線４が低画線部a1から成る主画線３によって遮蔽される角度θ１から、印刷物１上の非画線部を視認することができない角度θ２を差し引いた角度θ３の角度域であることが望ましい。
【００４３】
図１０は、印刷物１を真正面から目視で見た状態を示したものである。図９で示されたように、主画線３と副画線４とが隣接した関係をもって観察者には可視画像６を認識することができている。また、不可視画像５は認識することができない。図１０に示された印刷物１を図８で示された角度θ３の角度域から成る視角をもって観察した際、図６に示されたのと同様に低画線部ａ１と高画線部ａ２の高さによって主画線３の見え方の違いが現れる。すなわち、印刷模様２において、図９（ｂ）の斜視図で示されたのと同様に、低画線部ａ１の視認幅ｅ２よりも高画線部ａ２の視認幅ｅ３の方が長く見えることから、低画線部ａ１より高画線部ａ２の方が高濃度で観察される。これにより、図６に示された印刷模様２中の主画線３において、高画線部ａ２で構成された領域から成る不可視画像５が、斜めから観察することにより該領域が可視画像となって出現している。一方、図６に示された副画線４は、図９（ｂ）の斜視図で示されたのと同様に、副画線４の見える位置が視認幅ｅ２の範囲に含まれ、主画線３が副画線４を遮蔽するような位置関係となる。これにより、副画線４で構成された可視画像６が不可視画像となって消失する。したがって、印刷物１を真正面から見ていた観察者からは、印刷物１を斜めから見ることによって、それまで見えていた模様がまったく別の模様に入れ替わったように見える。
【００４４】
図１５は、主画線３の低画線部ａ１と高画線部ａ２の高低差が連続性を有する例を説明するものである。図１５（a）は、印刷物を図２に示された真正面の観察位置[１]から観察した状態が示されたものである。図１５（a）の状態では、主画線３の低画線部ａ１から高画線部ａ２に至る高さの変化を認識することはない。併せて、副画線４は断続的な空白部が備わっていることによって画線面積率が１００％から０％の範囲で段階的又は連続的に変化している。これにより、図１６に示された印刷物１の印刷模様２のように、副画線４によって任意の連続調画像が視認される。
【００４５】
一方、図１５（ｂ）は、印刷物を図２に示された斜めの観察位置[２]から観察した状態が示されたものである。図１５（ｂ）の状態では、主画線３の低画線部ａ１から高画線部ａ２に至る連続的な高さの変化が、主画線３の見かけ上の重なりによって視認される。併せて、副画線４は主画線３によって遮蔽されているため、副画線４の画線面積率が連続的に変化することで備わっている連続階調画像を認識することはない。これにより、図１７に示されたように、印刷物１の印刷模様２を斜めから観察すると、副画線４が主画線３によって遮蔽され、さらに主画線３に備わっている画線の連続的な高さの変化によって任意の連続調画像が視認される。
【００４６】
また、副画線４の画線幅ｗ２が所定の画線幅によって形成され、副画線４の画線幅ｗ２を１００％とした場合に、副画線４の画線幅ｗ２を１００％から０％の範囲で段階的又は連続的に変化していることで、可視画像６を連続階調画像となっても良い。
【００４７】
なお、主画線３における画線ピッチ並びに低画線部ａ１と高画線部ａ２の高さに何ら制限はないが、低画線部ａ１と高画線部ａ２の画線幅ｗ１は２００〜６００μｍで画線ピッチは３００〜８００μｍ、低画線部ａ１の盛り高さは１０〜３０μｍで高画線部ａ２の盛り高さは２０〜６０μｍ程度が望ましい。低画線部ａ１の盛りの高さと、高画線部ａ２の盛り高さの差は特に限定されることはないが、低画線部ａ１の盛り高さにからさらに１０〜５０μｍ程度の差が好ましい。
【００４８】
本発明の効果を奏するためのより具体的な数値としては、主画線２の低画線部ａ１における視線との境界部ｍ１までの印刷面からの盛り高さｈ１が１２μｍで、副画線４における視線との境界部ｍ３までの印刷面からの盛り高さｈ２は２μｍであった。また、境界部ｍ１と境界部ｍ３を結ぶ距離ｄ２は１５０μｍであることから、これらの数値をもとに、可視画像６が不可視にされる角度を逆三角関数（アークタンジェント）にて定義すると、副画線４で形成された可視画像６が主画線４によって死角となる角度θ１は約４°以下となる。さらに、副画線４に示された境界部ｍ３と、後方主画線３に示された印刷面との境界部ｐ２における印刷面上の距離ｄ１は５０μｍなので、副画線４に示された境界部ｍ３と、後方主画線３に示された印刷面との境界部ｐ２における印刷面上の距離ｄ１を用いて得られた所定の角度θ２は約３°となる。すなわち、可視画像５と不可視画像６とが完全に入れ替わり、不可視画像６のみが見える理想の角度域θ３は、以下の関係式を満たすものである。
【００４９】
【数１】
2011042049.tif 000003
【００５０】
また、可視画像５のみが見える理想の角度は、図２又は図８に示された印刷物１を真正面の観察位置[１]から観察した視線ｅ１、すなわち、印刷面に対して９０°の角度である。これに対し、不可視画像６が可視画像となって見える角度域は、副画線４で形成された可視画像６が主画線４によって死角となる角度θ１以下の角度となる。よって、可視画像５を視認することができる角度域θ４は、９０°から角度θ１までの以下の関係式を満たすものである。
【００５１】
【数２】
2011042049.tif 000004
【００５２】
また、副画線４の画線幅ｗ２及び印刷面からの盛り高さｈ２は、図２に示された断面図上の位置関係を満たすものであれば特に限定するものではないが、角度θ３の角度域から成る視角を充分に確保するため、できるだけ盛り高さが低いことが望ましい。また、印刷物１に用いられる印刷媒体は上質紙、コート紙等、何ら制限するものはなく、印刷模様２を印刷媒体に転写するための製版及び印刷方式も凹版印刷、スクリーン印刷等、素材を印刷面から盛り上がらせることが可能ならば何ら限定するものではない。
【符号の説明】
【００５３】
１          印刷物
２          印刷模様
３          主画線
４          副画線
５          
６          可視画像
１１          印刷物
１２          印刷模様
１３          画線群
１４          画線群
１５          潜像模様
１６          カモフラージュ模様
ａ１          低画線部
ａ２          高画線部
Ａ          断面
Ｂ          断面
ｄ１          距離
ｄ２          距離
ｅ１          視線
ｅ２          視認幅
ｅ３          視認幅
ｅ４          視認幅
ｍ１          境界部
ｍ２          境界部
ｍ３          境界部
ｐ１          境界部
ｐ２          境界部
ｗ１          画線幅
ｗ２          画線幅
θ１          角度
θ２          角度
θ３          角度
【図１】
2011042049.tif 000005
【図２】
2011042049.tif 000006
【図３】
2011042049.tif 000007
【図４】
2011042049.tif 000008
【図５】
2011042049.tif 000009
【図６】
2011042049.tif 000010
【図７】
2011042049.tif 000011
【図８】
2011042049.tif 000012
【図９】
2011042049.tif 000013
【図１０】
2011042049.tif 000014
【図１１】
2011042049.tif 000015
【図１２】
2011042049.tif 000016
【図１３】
2011042049.tif 000017
【図１４】
2011042049.tif 000018
【図１５】
2011042049.tif 000019
【図１６】
2011042049.tif 000020
【図１７】
2011042049.tif 000021